(57)【特許請求の範囲】
【請求項１】
カメラ外部のリモコン送信機から投射される赤外線リモコン信号光を受光可能とし、可視光である被写体輝度を測定可能とするための共用の受光素子と、
上記受光素子の前面に設けられ、制御信号に応じて可視光のみを透過させ、または赤外光のみを透過させることが電気的に制御可能な電界制御複屈折セルからなる波長可変フィルタと、
カメラをリモコンモードに設定するリモコンモード設定手段と、
上記リモコンモード設定手段によるリモコンモードの設定に基づいて上記電界制御複屈折セルからなる波長可変フィルタに印加する上記制御信号として上記赤外光のみを透過させる第１の電圧を出力すると共に、この第１の電圧を出力している状態で電界制御複屈折セルからなる波長可変フィルタを介して上記リモコン送信機から投射される赤外線リモコン信号光が上記受光素子によって受光されたことが検出されたら上記電界制御複屈折セルからなる波長可変フィルタに印加する上記制御信号として上記可視光のみを透過させる第２の電圧を出力し、この第２の電圧を出力している状態で電界制御複屈折セルからなる波長可変フィルタを介して上記受光素子によって受光される上記可視光に基づいて測光値を得る制御手段と、
を有したことを特徴とするリモコンカメラ。
【請求項２】
カメラ外部のリモコン送信機から投射される赤外線リモコン信号光を受光可能とし、可視光である被写体輝度を測定可能とするための共用の受光素子と、
上記受光素子の前面に設けられ、制御信号に応じて可視光のみを透過させ、または赤外光のみを透過させることが電気的に制御可能な電界制御複屈折セルからなる波長可変フィルタと、
カメラをリモコンモードに設定するリモコンモード設定手段と、
上記リモコンモード設定手段によるリモコンモードの設定に基づいて上記電界制御複屈折セルからなる波長可変フィルタに印加する上記制御信号として上記赤外光のみを透過させる第１の電圧を出力すると共に、この第１の電圧を出力している状態で電界制御複屈折セルからなる波長可変フィルタを介して上記リモコン送信機から投射される赤外線リモコン信号光が上記受光素子によって受光されたことが検出されたら上記電界制御複屈折セルからなる波長可変フィルタに印加する上記制御信号として上記可視光のうち第１の波長域の光のみを透過させる第２の電圧を出力し、この第２の電圧を出力している状態で電界制御複屈折セルからなる波長可変フィルタを介して上記受光素子によって受光される上記可視光のうち上記第１の波長域の光に基づいて第１の測光値を得ると共に、上記電界制御複屈折セルからなる波長可変フィルタに印加する上記制御信号として上記可視光のうち上記第１の波長域と異なる第２の波長域の光のみを透過させる第３の電圧を出力し、この第３の電圧を出力している状態で上記電界制御複屈折セルからなる波長可変フィルタを介して上記受光素子によって受光される上記可視光のうち上記第１の波長域と異なる第２の波長域の光に基づいて第２の測光値を得ることにより、上記第１の測光値及び上記第２の測光値に基づいて、露出を決定する制御手段と、
を有したことを特徴とするリモコンカメラ。
【請求項３】
上記電界制御複屈折セルからなる波長可変フィルタは、透明電極付きのガラスでネマティック液晶をサンドイッチ構造に挟持したもので、複数の電界制御複屈折セルの両側またはそれらの間には、それぞれ平行偏光子が配置されると共に、上記複数の電界制御複屈折セルは電圧印加回路が接続されていることを特徴とする請求項１または２に記載のリモコンカメラ。
【発明の詳細な説明】
【０００１】
【発明の属する技術分野】
本発明は、カメラ外部からカメラの動作を操作するためのリモコン機能を備えたリモコンカメラに関するものである。
【０００２】
【従来の技術】
撮影者が自分の姿を撮影したい場合などに用いる、いわゆる、セルフ撮影のための技術としては、古くからセルフタイマなどが知られている。ところで、近年、電子回路技術や光半導体などの技術の進歩により、より操作が容易でシャッタチャンスを逃すことがないリモコン機能付のカメラが普及している。
【０００３】
このリモコン機能付のカメラでは、一般的にリモコン送信機から赤外光のリモコン信号光を送信し、カメラ側でこのリモコン信号光を受光してレリーズタイミングの決定を行うようにしている。しかし、遠くから上記リモコン信号光を十分に受光するためには、リモコン信号光の受光用レンズを大きくする必要があった。
【０００４】
一方、カメラには小型化のトレンドがあり、上述のようにリモコン信号光を十分に受光するためにリモコン信号光の受光用レンズを大きくすると、他の機能を削除したり、低下させたりしなければならないという問題が生じた。
【０００５】
この小型化への対策として、例えば、特開昭５８−１００８４０号公報によれば、カメラのファインダの対物レンズとオートフォーカス（ＡＦ）用のレンズを共用し、カメラボディ前面のレンズの数を減らすという手法が提案されている。
【０００６】
【発明が解決しようとする課題】
しかしながら、上記特開昭５８−１００８４０号公報による手法では、ＡＦ用の測距用光は鋭いスポット形状で被写体に投射する必要がありこれを満足させつつ、ファインダの色収差等の問題を解決する設計を行うことは非常に困難なものとなっている。さらに、上記手法では、リモコンに関しては何等ふれられていない。
【０００７】
そこで本発明は、リモコン信号光の確実な検出及び被写体輝度の確実な測定が可能で、かつ小型化が可能なリモコンカメラを提供することを目的する。
【０００８】
【課題を解決するための手段】
上記目的を達成するために本発明のリモコンカメラは、カメラ外部のリモコン送信機から投射される赤外線リモコン信号光を受光可能とし、可視光である被写体輝度を測定可能とするための共用の受光素子と、上記受光素子の前面に設けられ、制御信号に応じて可視光のみを透過させ、または赤外光のみを透過させることが電気的に制御可能な電界制御複屈折セルからなる波長可変フィルタと、カメラをリモコンモードに設定するリモコンモード設定手段と、上記リモコンモード設定手段によるリモコンモードの設定に基づいて上記電界制御複屈折セルからなる波長可変フィルタに印加する上記制御信号として上記赤外光のみを透過させる第１の電圧を出力すると共に、この第１の電圧を出力している状態で電界制御複屈折セルからなる波長可変フィルタを介して上記リモコン送信機から投射される赤外線リモコン信号光が上記受光素子によって受光されたことが検出されたら上記電界制御複屈折セルからなる波長可変フィルタに印加する上記制御信号として上記可視光のみを透過させる第２の電圧を出力し、この第２の電圧を出力している状態で電界制御複屈折セルからなる波長可変フィルタを介して上記受光素子によって受光される上記可視光に基づいて測光値を得る制御手段と、を有したことを特徴とする。
また、上記目的を達成するために本発明のリモコンカメラは、カメラ外部のリモコン送信機から投射される赤外線リモコン信号光を受光可能とし、可視光である被写体輝度を測定可能とするための共用の受光素子と、上記受光素子の前面に設けられ、制御信号に応じて可視光のみを透過させ、または赤外光のみを透過させることが電気的に制御可能な電界制御複屈折セルからなる波長可変フィルタと、カメラをリモコンモードに設定するリモコンモード設定手段と、上記リモコンモード設定手段によるリモコンモードの設定に基づいて上記電界制御複屈折セルからなる波長可変フィルタに印加する上記制御信号として上記赤外光のみを透過させる第１の電圧を出力すると共に、この第１の電圧を出力している状態で電界制御複屈折セルからなる波長可変フィルタを介して上記リモコン送信機から投射される赤外線リモコン信号光が上記受光素子によって受光されたことが検出されたら上記電界制御複屈折セルからなる波長可変フィルタに印加する上記制御信号として上記可視光のうち第１の波長域の光のみを透過させる第２の電圧を出力し、この第２の電圧を出力している状態で電界制御複屈折セルからなる波長可変フィルタを介して上記受光素子によって受光される上記可視光のうち上記第１の波長域の光に基づいて第１の測光値を得ると共に、上記電界制御複屈折セルからなる波長可変フィルタに印加する上記制御信号として上記可視光のうち上記第１の波長域と異なる第２の波長域の光のみを透過させる第３の電圧を出力し、この第３の電圧を出力している状態で上記電界制御複屈折セルからなる波長可変フィルタを介して上記受光素子によって受光される上記可視光のうち上記第１の波長域と異なる第２の波長域の光に基づいて第２の測光値を得ることにより、上記第１の測光値及び上記第２の測光値に基づいて、露出を決定する制御手段と、を有したことを特徴とする。
また、上記目的を達成するために本発明のリモコンカメラは、上記電界制御複屈折セルからなる波長可変フィルタが、透明電極付きのガラスでネマティック液晶をサンドイッチ構造に挟持したもので、複数の電界制御複屈折セルの両側またはそれらの間には、それぞれ平行偏光子が配置されると共に、上記複数の電界制御複屈折セルは電圧印加回路が接続されていることを特徴とする。
【００１２】
【発明の実施の形態】
本発明の実施の形態を説明する前に、まず、本発明の理解を容易にするために、本発明に係るリモコンカメラの概念について説明する。
図１０に示すように、通常、カメラ本体２００には、撮影レンズ２０２の他、ストロボ２０４、ファインダ対物レンズ２０６、オートフォーカス（ＡＦ）用の窓２０８，２１０、露出を決めるための測光用の窓２１２、リモコン信号光受光用の窓２１４が配置されている。
【００１３】
本発明は、上記リモコン信号光受光用の窓２１４を、測光用の窓２１２またはファインダ対物レンズ２０６，ストロボ２０４，オートフォーカス（ＡＦ）用の窓２０８，２１０などと共通にして、カメラ前面のスペースを確保しようとするものである。
【００１４】
しかし、一般に赤外光を利用したリモコン用センサに太陽光や人工照明の可視光が混入すると、Ｓ／Ｎが劣化してリモコンの特性が劣化し、リモコン送信機による作動可能な距離が短くなったり、作動しなくなるといった不具合が生じてしまう。
【００１５】
そこで、本発明はリモコンセンサにはフィルタやその他の光学手段により可視光が入らないようにして、リモコン性能を確保すると共に、カメラのその他の機能に負担をかけることなく、小型化を達成するものである。
【００１６】
以下、図面を参照して本発明の実施の形態を説明する。
図１（ａ）は、本発明に係る第１の実施の形態のリモコンカメラの構成を示す図である。
【００１７】
図１（ａ）において、リモコン送信機１０から発せられた赤外光は、受光素子１２の前方に設けられた電界制御複屈折セル（以下、ＥＣＢセルと記す）を積層してなる波長可変フィルタ１４を通過し、上記受光素子１２に入射する。赤外光を受光した受光素子１２は、電流信号を集積回路（以下、ＩＣと記す）１６に出力する。
【００１８】
このＩＣ１６は上記電流信号を増幅し、さらに電圧信号に変換して、この電圧信号をワンチップマイクロコンピュータなどからなる演算制御回路（以下、ＣＰＵと記す）１８に出力する。なお、ＩＣ１６は、リモコン使用時においては波形成形機能を用いて上記電流信号をＨ（Ｈｉｇｈ  ）／Ｌ（Ｌｏｗ）のディジタル信号に変換して、このディジタル信号をＣＰＵ１８に出力し、測光時においては受光素子１２に入射している光の光量に応じたアナログ電圧をＣＰＵ１８に出力する。
【００１９】
このＣＰＵ１８は、内蔵のアナログ／ディジタル変換器にて測光時における上記アナログ電圧をディジタル電圧に変換して測光値の判定を行い、本カメラに装填されたフィルムの感度に応じて露出時間を決定する。このとき、ＣＰＵ１８は上記測光値の判定に従って、ストロボ１９の発光制御も行う。続いて、シャッタ回路２０を介して、シャッタ２２の開閉を制御する。こうして、撮影レンズ２４から入射した光をフィルム上に導く。また、ＣＰＵ１８に設けられたリモコンスイッチ２６は、本カメラの動作モードを、リモコン送信機１０からの信号を受信する状態であるリモコンモードに設定するためのスイッチである。
【００２０】
なお、上記波長可変フィルタ１４は、ＥＣＢセルに印加する電圧を電圧印加回路２８により変化させることによって、透過する光の波長域を変えることができる波長可変フィルタである。この波長可変フィルタ１４では、複屈折板と平行偏光子からなるＬｙｏｔ−ｆｉｌｔｅｒが複屈折率と複屈折板の厚さの関係によって、透過スペクトルのピークを制御するという性質を利用している。上記複屈折板を電気的に制御可能なＥＣＢセルに置き換えたものが、上記波長可変フィルタである。上記ＥＣＢセルは、透明電極付きのガラスでネマティック液晶をサンドイッチ構造に挟持したものである。
【００２１】
図２は、上記波長可変フィルタ１４の構成を示す図である。
同図に示すように、３つのＥＣＢセルＬＣ１  ，ＬＣ２  ，ＬＣ３  の両側またはそれらの間には、平行偏光子Ｐ１  ，Ｐ２  ，Ｐ３  ，Ｐ４  が配置され、さらに、ＥＣＢセルＬＣ１  ，ＬＣ２  ，ＬＣ３  には電圧印加回路が接続されている。そして、ＥＣＢセルＬＣ１  ，ＬＣ２  ，ＬＣ３  に各々電圧Ｖ１  ，Ｖ２  ，Ｖ３  を印加することにより、透過波長を制御する。
【００２２】
すなわち、図１（ａ）に示すリモコンカメラおいて、リモコンスイッチ２６のオンによりこのリモコンカメラがリモコンモードに設定されると、波長可変フィルタ１４は赤外光のみ透過するように制御され、太陽光をカットする。これにより、リモコン送信機１０からのリモコン信号光である赤外光のみを透過させ、Ｓ／Ｎのよい上記赤外光を受光素子１２に導く。
【００２３】
図１（ｂ）は、第１の実施の形態のリモコンカメラにおける測光時の様子を示す図である。同図において、波長可変フィルタ１４は電圧印加回路２８により可視光のみを透過するように制御される。これにより、被写体３０の明るさにもとづく光が受光素子１２に入射する。
【００２４】
次に、第１の実施の形態のリモコンカメラの動作について説明する。
図３は、第１の実施の形態のリモコンカメラの動作としてのＣＰＵ１８の処理を示すフローチャートである。
【００２５】
まず、ＣＰＵ１８は、リモコンスイッチ２６の操作によってリモコンモードに設定されているか否かを判定する（ステップＳ１）。ここで、リモコンモードに設定されているときは、図２に示したＥＣＢセルＬＣ１  ，ＬＣ２  ，ＬＣ３  への印加電圧Ｖ１  ，Ｖ２  ，Ｖ３  を各々Ｖ１０，Ｖ２０，Ｖ３０とし（ステップＳ２）、波長可変フィルタ１４を赤外光のみを透過するフィルタとする。つづいて、ＣＰＵ１８はリモコン信号光の検出を行い、リモコン信号光が検出されたら（ステップＳ３）、ステップＳ５へ移行する。
【００２６】
一方、上記ステップＳ１にて、リモコンモードに設定されていないときは、ＣＰＵ１８はレリーズ操作が行われたか否かを判定し、レリーズ操作が行われたら（ステップＳ４）、ステップＳ５へ移行する。
【００２７】
ステップＳ５では、ＥＣＢセルＬＣ１  ，ＬＣ２  ，ＬＣ３  への印加電圧Ｖ１  ，Ｖ２  ，Ｖ３  を各々Ｖ１１，Ｖ２１，Ｖ３１とし（ステップＳ５）、可視光の所定の波長域の光のみを透過するフィルタとする。これにより、受光素子１２には上記所定の波長域の光のみが入射する。ＣＰＵ１８は、上記所定の波長域の光に基づいて、受光素子１２、ＩＣ１６を介して測光を行い、測光値ＢＶ１  を得る（ステップＳ６）。
【００２８】
次に、ＥＣＢセルＬＣ１  ，ＬＣ２  ，ＬＣ３  への印加電圧Ｖ１  ，Ｖ２  ，Ｖ３  を上記ステップＳ５での電圧と異なる電圧の各々Ｖ１２，Ｖ２２，Ｖ３２とし（ステップＳ７）、可視光のうち上記ステップＳ５での波長域の光と異なる所定の波長域の光のみを透過するフィルタとする。これにより、受光素子１２には上記所定の波長域の光のみが入射する。ＣＰＵ１８は、上記所定の波長域の光に基づいて、受光素子１２、ＩＣ１６を介して測光を行い、測光値ＢＶ２  を得る（ステップＳ８）。これは、波長可変フィルタ１４が狭い帯域の波長しか透過できないことに対する対策である。
【００２９】
つづいて、ＣＰＵ１８はこれら測光値ＢＶ１  ，ＢＶ２  の結果に基づいて、露出を決定する（ステップＳ９）。なお、波長可変フィルタ１４が可視域全体の光を透過できるように構成できれば、このような複数回の測光値を求める処理は不要となる。
【００３０】
次に、測距を行い測距情報を得る（ステップＳ１０）。この測距情報に応じて、被写体に対してピント合せを行い、つづいて露光シーケンスを実行する（ステップＳ１１）。そして、本処理を終了する。
【００３１】
以上説明したように本第１の実施の形態においては、電気的に波長透過域を変化させることが可能な波長可変フィルタを用いているため、この波長可変フィルタを構成するＥＣＢセルへの印加電圧の制御により、さまざまな波長域の光を選択して測光を行うことができる。これによって、被写体の色までを加味した、より高精度な露出制御やストロボ制御が可能となる。
【００３２】
また、測光用の受光素子とリモコン用の受光素子とを共用できるため、受光窓、受光素子、及びその他の部材を減らすことができる。同様に、赤外光利用の測距用の受光素子と露出測光用の受光素子とを共用することも可能である。さらに、赤外光利用のアクティブ方式オートフォーカスの受光素子と、可視光利用のパッシブ方式オートフォーカスの受光素子とを共用することも可能である。
【００３３】
次に、本発明に係る第２の実施の形態のリモコンカメラについて説明する。
上記第１の実施の形態ではフィルタの透過特性を変えるのに複雑な電気回路と最新の液晶素子を利用したが、この第２の実施の形態では、従来から知られている可視光カットフィルタと、受光素子の受光面の設計技術を利用してより単純な構成として上記第１の実施の形態と同様の効果を達成する。
【００３４】
図４（ａ）は、第２の実施の形態のリモコンカメラの構成を示す図である。
同図において、受光レンズ４０は２つの受光面４２ａ，４２ｂを有するセンサ４２に、被写体からの光を集光して入射させる働きを持つ。センサ４２は、Ｅ字型の２つの受光面４２ａ，４２ｂをワンチップ上に組み合せたものであり、片方の受光面４２ａ上には可視光カットフィルタとしての機能を有するフィルムが張り付けられている。
【００３５】
図４（ｂ）に上記センサ４２を断面から見たときの模式図を示す。
同図において、シリコンなどからなる受光素子チップ４４には、受光面４２ａ，４２ｂが形成されている。上記受光素子チップ４４の周囲には透明モールドパッケージ４６が形成され、この透明モールドパッケージ４６の側面にはリードフレーム４８が配置されている。
【００３６】
さらに、受光面４２ａへの入射光が通過するモールドパッケージ４６上面の領域には、可視光カットフィルタとしての機能を有するフィルム５０が貼り付けられている。なお、この受光面４２ａはリモコン信号光の受光用である。
【００３７】
このように構成されたリモコンカメラにおいては、受光レンズ４０を通過した光はセンサ４２へ入射する。このとき、受光面４２ａの入射光軸上にはフィルム５０が設けられているため、上記光のうちの可視光成分がカットされ、受光面４２ａにはリモコン信号光の赤外光のみが入射する。一方、受光面４２ｂには、受光レンズ４０を通過した光がそのまま入射する。すなわち、受光面４２ｂには、赤外光と可視光が共に入射する。
【００３８】
つづいて、受光面４２ａは、受光した赤外光に応じた信号をリモコン処理回路５２ａ、測光回路５２ｂにそれぞれ出力する。リモコン処理回路５２ａ、測光回路５２ｂは、受け取った上記信号を処理して、それぞれの処理結果をＣＰＵ５４に出力する。
【００３９】
一方、受光面４２ｂは、受光した光に応じた信号を測光回路５２ｃに出力する。測光回路５２ｃは、受け取った上記信号を処理して、その処理結果をＣＰＵ５４に出力する。また、ＣＰＵ５４には、リモコンモード設定用スイッチ５６と、求められた測光値によりシャッタを制御するためのシャッタ回路５８が接続されている。
【００４０】
以上より、受光面４２ａの定常的な出力を測光回路５２ｂを介してＣＰＵ５４に出力すれば、被写体の赤外光の輝度を求めることができる。また、受光面４２ｂからの出力を測光回路５２ｃを介してＣＰＵ１０に出力すれば、被写体の赤外光と可視光との和の輝度が求められる。これにより、２つの測光回路５２ｃ，５２ｂの出力差より、被写体の可視光の光量が算出できる。
【００４１】
次に、第２の実施の形態のリモコンカメラの動作について説明する。
図５は、第２の実施の形態のリモコンカメラの動作としてのＣＰＵ５４の処理を示すフローチャートである。
【００４２】
まず、ＣＰＵ５４は、リモコンスイッチ５６の操作によってリモコンモードに設定されているか否かを判定する（ステップＳ３１）。ここで、リモコンモードに設定されているときは、受光面４２ａ、リモコン処理回路５２ａにてリモコン信号光の検出を行い、リモコン信号光が検出されたら（ステップＳ３３）、ステップＳ３４へ移行する。
【００４３】
一方、上記ステップＳ３１にて、リモコンモードに設定されていないときは、ＣＰＵ５４はレリーズ操作が行われたか否かを判定し、レリーズ操作が行われたら（ステップＳ３２）、ステップＳ３４へ移行する。
【００４４】
ステップＳ３４では、不図示の測距装置の出力に従って、被写体距離を求める。つづいて、測光回路５２ｂ，５２ｃを用いた測光を行い、それぞれの測光結果を測光値Ｂ１  ，Ｂ２  とする（ステップＳ３５，Ｓ３６）。
【００４５】
次に、ＣＰＵ５４はＢ１  ＞α×Ｂ２  が成立するか否かを判定する（ステップＳ３７）。ここで、αは撮影条件を判定するための所定の係数であり、夕日などを背景に撮影している場合などの赤外光が所定値より強い状況かどうかを判定するためのものである。Ｂ１  ＞α×Ｂ２  が成立するときは、赤外光が所定値より強いときであり、夕日などを背景に撮影していると判断することができる。このときは、夕景モードに設定し、夕日が白く飛んでしまわないようにアンダーの露出設定にして（ステップＳ４０）、ステップＳ３９へ移行する。このように、赤外測光と可視測光を組み合せて、より適確な露出を可能とするのが本実施の形態の１つの利点である。
【００４６】
一方、上記ステップＳ３７にて、Ｂ１  ＞α×Ｂ２  が成立しないときは、上記測光値Ｂ２  とＢ１  の差より可視光の輝度を測定し、この結果から露出を決定して（ステップＳ３８）、ステップＳ３９へ移行する。
【００４７】
ステップＳ３９では、以上にて求めた被写体距離に応じて不図示のピント合せ用レンズを駆動して被写体にピントを合せ、さらに、求めた測光値に応じてシャッタ回路５８を介して不図示のシャッタを制御して露光を行う。そして、本処理を終了する。
【００４８】
以上説明したように本第２の実施の形態のリモコンカメラは、図１に示した上記第１の実施の形態のリモコンカメラより、単純でかつ廉価な構成とすることができる。また、受光面４２ａからの出力は赤外光のみによるものであるため、太陽光や人工照明などの影響をうけずに高性能のリモコン機能を働かせることができる。
【００４９】
次に、本発明に係る第３の実施の形態のリモコンカメラについて説明する。
図６（ａ）は、第３の実施の形態のリモコンカメラの構成を示すブロック図である。
【００５０】
同図において、受光レンズ４０を通過した光がダイクロイックミラー６０に到達すると、このダイクロイックミラー６０にて赤外光のみが透過され、リモコン用センサ６２ａに入射する。一方、上記受光レンズ４０を通過した光のうち、可視光のみがダイクロイックミラー６０にて反射され、露出用センサ６２ｂに入射する。
【００５１】
上記赤外光によるリモコン用センサ６２ａからの出力は、リモコン処理回路６４ａにて処理され、ＣＰＵ６６に出力される。上記可視光による露出用センサ６２ｂからの出力は、測光（ＡＥ）処理回路６４ｂにて処理され、ＣＰＵ６６に出力される。また、ＣＰＵ６６には、求められた測光値によりシャッタを制御するためのシャッタ回路６８が接続されている。
【００５２】
なお、上述したようにダイクロイックミラー６０は、赤外光を透過し、可視光を反射するという波長依存特性を有するものである。このダイクロイックミラー６０を用いることにより、リモコン用センサ６２ａには太陽光などの可視光を入射させることなく赤外光のみを入射させ、一方、露出用センサ６２ｂには赤外光を入射させることなく可視光のみを入射させるという設計が可能となる。
【００５３】
以上説明したように本第３の実施の形態においては、上記第１，第２の実施の形態と同様に高精度のリモコン機能と正確な露出制御とを単一の受光レンズ４０を用いて達成することができる。
【００５４】
また、本第３の実施の形態では、ダイクロイックミラー６０の波長選択特性によって赤外光と可視光の選択を行うため、リモコン用センサ６２ａや露出用センサ６２ｂに特別な光学フィルタなどを取り付ける必要がなく、これによりコストを低減することができる。
【００５５】
さらに、リモコン用センサ６２ａと露出用センサ６２ｂの各センサを独立して設計することが可能であるため、最適のリモコン検知域、測光領域を設定することができる。特に、多分割測光など、センサを分割して視野内の異なる領域の測光を行うカメラの場合、この第３の実施の形態ではリモコンのことを考慮せずに、露出用センサ６２ｂを設計することができる。
【００５６】
ただし、図４に示した上記第２の実施の形態でも、図６（ｂ）に示すようなセンサにすることにより多分割測光に対応することも可能である。このセンサは、リモコン用受光面７０ａと、露出用に独立した受光面７０ｂ，７０ｃ，７０ｄからなる。
【００５７】
上記ダイクロイックミラー６０はさらに次のような応用も可能であり、これを第４の実施の形態として説明する。
図７（ａ）は、第４の実施の形態のリモコンカメラの特徴である受光部の構成を示す図である。この第４の実施に形態は、カメラのファインダ対物レンズと、リモコン受光窓とを兼用したものである。
【００５８】
同図において、対物レンズ８０を通過した光がダイクロイックミラー８２に到達すると、このダイクロイックミラー８２にて赤外光のみが透過され、リモコン用センサ８４ａに入射する。一方、上記対物レンズ８０を通過した光のうち、可視光のみがダイクロイックミラー８２にて反射され、レンズ８６、プリズム８８、さらにファインダ接眼レンズ９０を介して観察者の目９２に入射する。
【００５９】
上記赤外光によるリモコン用センサ８４ａからの出力は、リモコン処理回路９４ａにて処理され、ＣＰＵ９６に出力される。
上記プリズム８８は、図７（ｂ）に示すような形を有しており、入射光の光路を折り曲げてスペースをかせぐために独特の形状をしている。ダイクロイックミラー８２は上述したように波長依存性を有しており、リモコン信号光である赤外光を透過し、可視光を反射するものである。
【００６０】
以上説明したように本第４の実施の形態では、ファインダ画面中心部に最もリモコン信号光に対する感度の強い部分が位置することから、リモコン送信機の操作者は画面中心に写ることが可能である。
【００６１】
次に、本発明に係る第５の実施の形態のリモコンカメラについて説明する。
図８は、第５の実施の形態のリモコンカメラの特徴である受光部の構成を示す図である。この第５の実施の形態は、カメラのストロボ窓を介してリモコン信号光を受光するものである。
【００６２】
同図において、フレネルレンズ１００を通過した光は反射傘１０２にてキセノン放電管（Ｘｅ管）１０４に向けて反射され、さらに、このキセノン放電管１０４にて反射され、リモコン用センサ１０６ａに入射する。ここで、リモコン用センサ１０６ａの受光面には可視光カットフィルタを設け、リモコン用センサ１０６ａに赤外光のみが入射するようにする。
【００６３】
上記赤外光によるリモコン用センサ１０６ａからの出力は、リモコン処理回路１０８ａにて処理され、不図示のＣＰＵに出力される。
以上説明したように本第５の実施の形態では、フレネルレンズ１００と反射傘１０２の働きにより、広い範囲でリモコン信号光を受光することができるため、広い範囲においてリモコン送信機の操作が可能となる。
【００６４】
次に、本発明に係る第６の実施の形態のリモコンカメラについて説明する。
図９（ａ）は、第６の実施の形態のリモコンカメラの特徴である受光部の構成を示す図である。
【００６５】
同図において、投光用レンズ１１０を通過した光は、パッケージ１１２内のリモコン用センサ１１２ａに入射する。ここで、このリモコン用センサ１１２ａは赤外発光ダイオード（以下、ＩＲＥＤと記す）１１２ｂと同じガリウム砒素（ＧａＡｓ）のチップで構成されている。
【００６６】
上記第１〜５の実施の形態では、リモコン用センサにはコスト的に有利なシリコンからなるものを用いていたが、本第６の実施の形態ではガリウム砒素製のものを用いる。このガリウム砒素製のものは、赤外光のみをよく感知するため、赤外光を信号光とするリモコンに対してよく反応するという利点を有している。したがって、リモコン用センサ１１２ａからの出力はリモコン信号光の赤外光に依存するものとなる。この出力は、リモコン処理回路１１４ａにて処理され、ＣＰＵ１１６に出力される。
【００６７】
また、ＣＰＵ１１６はオートフォーカス用集積回路（以下、ＡＦＩＣと記す）１１８とトランジスタ１２０を介してパッケージ１１２内のＩＲＥＤ１１２ｂを発光させ、投光用レンズ１１０を介して測距用光を投光する。この測距用光は被写体にて反射され、その反射信号光は受光レンズ１２２を介して光位置検出素子（以下、ＰＳＤと記す）１２４に入射する。
【００６８】
この光位置検出素子１２４上の反射信号光の入射位置を検出し、三角測距の原理によって被写体距離を求める。ここで、ＡＦＩＣ１１８はＰＳＤ１２４の出力信号電流を増幅演算する機能を持つアナログＩＣである。
【００６９】
図９（ｂ）は、上記パッケージ１１２の構成を示す斜視図である。同図に示すように、このパッケージ１１２内のガリウム砒素の同一チップ上にはリモコン用センサ１１２ａとＩＲＥＤ１１２ｂが形成されている。ＩＲＥＤ１１２ｂは一般的にガリウム砒素で作られるため、リモコン用センサ１１２ａとＩＲＥＤ１１２ｂを同一チップとして構成すれば、同一パッケージ１１２に封入することができ、製造が容易なものとなる。
【００７０】
以上説明したように本第６の実施の形態では、リモコン用センサ１１２ａを形成する素子自身が可視光カット特性を有するため、特に光学的なフィルタは不要である。また、上述したように同一チップ上に２つの機能の光半導体を構成しパッケージングしているため、部品管理及び組立が容易である。
【００７１】
以上に述べたように上記実施の形態によれば、小型のカメラの中に、高性能のリモコン用受光素子を無理なくレイアウトできるため、デザイン的にすぐれたカメラを提供することができる。また、カメラ前部の窓の数を減らし、レイアウトの自由度を増すことにより、小型化及びデザイン的にすぐれたカメラを提供することができる。
【００７２】
なお、本発明の上記実施態様によれば、以下のごとき構成が得られる。
（１）  被写体の輝度を測定するために光学手段を介して被写体からの光を測光する測光手段と、
撮影者がリモコン送信機を操作したとき、上記リモコン送信機の光信号を上記光学手段の一部を介して受光する受光手段と、
を具備したことを特徴とするカメラ。
（２）  上記光学手段の光路中に電気的に制御可能な波長可変フィルタを設け、上記測光手段と上記受光手段とを共通の素子としたことを特徴とする上記（１）に記載のカメラ。
（３）  上記測光手段には可視光成分が入射し、上記受光手段には赤外光成分が入射するように上記光学手段の光路中に設けられた波長選択性のフィルタ手段を具備したことを特徴とする上記（１）に記載のカメラ。
（４）  被写体を観察するファインダ手段と、
上記ファインダ手段を構成する対物レンズを介してリモコン送信機からの信号光を受光する受光手段と、
を具備したことを特徴とするカメラ。
（５）  可視光と赤外光とを受光する第１のセンサと、
赤外光のみを受光する第２のセンサと、
上記２つのセンサの出力の差に基づいて露出を決定する自動露出カメラ。
（６）  リモコン送信部からの赤外光を受光するガリウム・砒素からなる受光素子と、
測距用光として赤外光を投射するガリウム・砒素からなる発光素子とを有するカメラにおいて、
上記発光素子と受光素子とを同一チップ上に形成したことを特徴とするカメラ。
（７）  時分割で複数の異なる波長域を選択して測光できる測光手段と、
上記波長域を選択する選択手段と、
上記測光手段の出力からカメラの露出制御を行う制御手段と、
を具備したことを特徴とするカメラ。
【００７３】
【発明の効果】
以上述べたように本発明によれば、リモコン信号光の確実な検出及び被写体輝度の確実な測定が可能で、かつ小型化が可能な小型化が可能なリモコンカメラを提供することができる。
【図面の簡単な説明】
【図１】（ａ）は第１の実施の形態のリモコンカメラの構成を示す図であり、（ｂ）は第１の実施の形態のリモコンカメラにおける測光時の様子を示す図である。
【図２】波長可変フィルタ１４の構成を示す図である。
【図３】第１の実施の形態のリモコンカメラの動作としてのＣＰＵ１８の処理を示すフローチャートである。
【図４】（ａ）は第２の実施の形態のリモコンカメラの構成を示す図であり、（ｂ）はこのリモコンカメラを構成するセンサ４２を断面から見たときの模式図である。
【図５】第２の実施の形態のリモコンカメラの動作としてのＣＰＵ５４の処理を示すフローチャートである。
【図６】（ａ）は第３の実施の形態のリモコンカメラの構成を示すブロック図であり、（ｂ）は第２の実施の形態におけるセンサ４２を多分割測光に対応する構成とした図である。
【図７】（ａ）は第４の実施の形態のリモコンカメラの特徴である受光部の構成を示す図であり、（ｂ）はこの受光部を構成するプリズム８８の形状を示す図である。
【図８】第５の実施の形態のリモコンカメラの特徴である受光部の構成を示す図である。
【図９】（ａ）は第６の実施の形態のリモコンカメラの特徴である受光部の構成を示す図であり、（ｂ）はこの受光部のパッケージ１１２の構成を示す図である。
【図１０】本発明に係るリモコンカメラの概念を説明するための図である。
【符号の説明】
１０…リモコン送信機、１２…受光素子、１４…波長可変フィルタ、１６…集積回路（ＩＣ）、１８…演算制御回路（ＣＰＵ）、１９…ストロボ、２０…シャッタ回路、２２…シャッタ、２４…撮影レンズ、２６…リモコンスイッチ、２８…電圧印加回路、３０…被写体、４０…受光レンズ、４２…センサ、４２ａ，４２ｂ…受光面、４４…受光素子チップ、４６…透明モールドパッケージ、４８…リードフレーム、５０…フィルム、５２ａ…リモコン処理回路、５２ｂ…測光回路、５４…演算制御回路（ＣＰＵ）、５６…リモコンモード設定用スイッチ、５８…シャッタ回路、６０…ダイクロイックミラー、６２ａ…リモコン用センサ、６２ｂ…露出用センサ、６４ａ…リモコン処理回路、６４ｂ…測光（ＡＥ）処理回路、６６…演算制御回路（ＣＰＵ）、６８…シャッタ回路、７０ａ…リモコン用受光面、７０ｂ，７０ｃ，７０ｄ…受光面、ＬＣ１  ，ＬＣ２  ，ＬＣ３  …電界制御複屈折セル（ＥＣＢセル）、Ｐ１  ，Ｐ２  ，Ｐ３  ，Ｐ４  …平行偏光子。
【図１】
0003557292.tif 000002
【図２】
0003557292.tif 000003
【図３】
0003557292.tif 000004
【図４】
0003557292.tif 000005
【図５】
0003557292.tif 000006
【図６】
0003557292.tif 000007
【図７】
0003557292.tif 000008
【図８】
0003557292.tif 000009
【図９】
0003557292.tif 000010
【図１０】
0003557292.tif 000011